(57)【特許請求の範囲】
【請求項１】
磁性粉末を含有する複数のシートを含む本体と、
前記複数のシートのうち最上部シートの上面に配置される最上部コイルパターン、前記複数のシートのうち最下部シートの下面に配置される最下部コイルパターン、及び前記本体内において前記最上部シートと前記最下部シートとの間の中央部に配置される中央部シートの側部に積層方向を向いて配置される側部コイルパターンを含むコイルと、を含み、
前記磁性粉末は形状磁気異方性を有し、前記磁性粉末の長軸方向は前記本体内で一方向に沿って整列されている状態であり、
前記最上部コイルパターン及び前記最下部コイルパターンのうち少なくとも一方は、前記本体の表面に存在する溝内に配置され、
前記中央部シートの上面は、第１側部コイルパターン及び第２側部コイルパターンを含み、
前記第１側部コイルパターンは、前記本体の第３方向において対向する両端部のうち一端部から内側に向かって延び、前記本体の第２方向に沿って所定間隔だけ離隔して配置される複数の多角形を含み、
前記第２側部コイルパターンは、前記中央部シートの両端部のうち他端部から内側に向かって延び、前記本体の第２方向に沿って所定間隔だけ離隔して配置される複数の多角形を含み、
前記複数の多角形が配置される幅は、前記本体の第２方向に延びる長さに等しく、複数の前記中央部シートのうち一つの前記中央部シートの上面に配置される前記第１側部コイルパターン及び第２側部コイルパターン内において前記複数の多角形が配置される幅は、前記中央部シートの真下に位置する他の前記中央部シートの上面に配置される前記第１側部コイルパターン及び第２側部コイルパターン内において前記複数の多角形が配置される幅より小さい、積層電子部品。
【請求項２】
前記最上部コイルパターン、前記最下部コイルパターン、及び前記側部コイルパターンは、互いに電気的に接続されることにより連続的な導体パターンとして配置され、前記本体をコア部として共有する磁気回路（ｍａｇｎｅｔｉｃ  ｃｉｒｃｕｉｔ）を形成する、請求項１に記載の積層電子部品。
【請求項３】
前記コイルは前記本体の外部面上に配置され、前記本体は前記磁性粉末の長軸方向に平行な中心軸を有する磁性コアを含む、請求項１または請求項２に記載の積層電子部品。
【請求項４】
前記最上部コイルパターン又は前記最下部コイルパターンは、前記側部コイルパターンよりも厚く形成されている、請求項１から請求項３の何れか一項に記載の積層電子部品。
【請求項５】
前記側部コイルパターンは、前記本体の外部面上に露出するように配置されている、請求項１から請求項４の何れか一項に記載の積層電子部品。
【請求項６】
前記磁性粉末は、板状形態のフレーク（ｆｌａｋｅ）形状又は長い紐形状の粒子形状を有する、請求項１から請求項５の何れか一項に記載の積層電子部品。
【請求項７】
前記コイルのうちそれぞれの前記側部コイルパターンは、互いに離隔して配置される複数の中央部コイルパターンを含み、前記磁性粉末の長軸方向に対して垂直な方向に延在し、前記複数の中央部コイルパターンのそれぞれはストリップ形状を有する導体パターンとして形成されている、請求項１から請求項６の何れか一項に記載の積層電子部品。
【請求項８】
前記コイルのうち前記最上部コイルパターン及び前記最下部コイルパターンのそれぞれは、前記本体の第３方向において互いに対向する両端部を接続する複数の中央部コイルパターンを含み、前記複数の中央部コイルパターンのそれぞれはストリップ形状部材として形成され、それぞれの前記複数の中央部コイルパターンの前記ストリップ形状部材は、前記本体の前記第３方向に対して平行であるか又は所定の角度オフセットだけ傾いた方向を向くように配置される、請求項１から請求項６の何れか一項に記載の積層電子部品。
【請求項９】
前記最上部コイルパターン又は前記最下部コイルパターンは、第１引き出し部コイルパターン及び第２引き出し部コイルパターンのうち少なくとも一つを含む、請求項１から請求項８の何れか一項に記載の積層電子部品。
【請求項１０】
前記最上部コイルパターンは、前記本体の第２方向において互いに対向する両端部の一方の端部に沿って配置された第１引き出し部コイルパターンを含み、
前記最下部コイルパターンは、前記本体の第２方向において互いに対向する前記両端部の他方の端部に沿って配置された第２引き出し部コイルパターンを含む、請求項１から請求項８の何れか一項に記載の積層電子部品。
【請求項１１】
前記第１引き出し部コイルパターンは、第１連結部を介して前記第１引き出し部コイルパターンと同一の平面上に配置され、前記第１引き出し部コイルパターンに最も近接する中央部コイルパターンと接続され、
前記第２引き出し部コイルパターンは、第２連結部を介して前記第２引き出し部コイルパターンと同一の平面上に配置され、前記第２引き出し部コイルパターンに最も近接する中央部コイルパターンと接続される、請求項９または１０に記載の積層電子部品。
【請求項１２】
前記コイルのうち前記最上部コイルパターン及び前記最下部コイルパターンのそれぞれは、前記本体の第３方向において互いに対向する両端部を接続する複数の中央部コイルパターンを含み、前記複数の中央部コイルパターンのそれぞれはストリップ形状部材として形成され、
前記最上部コイルパターンの前記複数の中央部コイルパターンの前記ストリップ形状部材は、前記本体の前記第３方向に対して所定の角度オフセットだけ傾いた方向を向くように配置され、
前記最下部コイルパターンの前記複数の中央部コイルパターンの前記ストリップ形状部材は、前記本体の前記第３方向に対して平行であるか又は所定の角度オフセットだけ傾いた方向を向くように配置され、
前記最上部コイルパターンは、前記本体の第２方向において互いに対向する両端部のそれぞれに沿って配置された第１引き出し部コイルパターンを含み、
前記第１引き出し部コイルパターンは、第１連結部を介して前記第１引き出し部コイルパターンと同一の平面上に配置され、前記第１引き出し部コイルパターンに最も近接する中央部コイルパターンと接続され、
前記第１連結部は、前記第１引き出し部コイルパターンの中央部から前記本体の第２方向を向くように配置される、請求項１から５の何れか一項に記載の積層電子部品。
【請求項１３】
前記コイルのうち前記最上部コイルパターン及び前記最下部コイルパターンのそれぞれは、前記本体の第３方向において互いに対向する両端部を接続する複数の中央部コイルパターンを含み、前記複数の中央部コイルパターンのそれぞれはストリップ形状部材として形成され、
前記最上部コイルパターン及び前記最下部コイルパターンのそれぞれの前記複数の中央部コイルパターンの前記ストリップ形状部材は、前記本体の前記第３方向に対して所定の角度オフセットだけ傾いた方向を向くように配置され、
前記最上部コイルパターンは、前記本体の第２方向において互いに対向する両端部の一方の端部に沿って配置された第１引き出し部コイルパターンを含み、
前記最下部コイルパターンは、前記本体の第２方向において互いに対向する前記両端部の他方の端部に沿って配置された第２引き出し部コイルパターンを含み、
前記第１引き出し部コイルパターンは、第１連結部を介して前記第１引き出し部コイルパターンと同一の平面上に配置され、前記第１引き出し部コイルパターンに最も近接する中央部コイルパターンと接続され、
前記第２引き出し部コイルパターンは、第２連結部を介して前記第２引き出し部コイルパターンと同一の平面上に配置され、前記第２引き出し部コイルパターンに最も近接する中央部コイルパターンと接続され、
前記第１連結部は、前記第１引き出し部コイルパターンの中央部から前記本体の第２方向を向くように配置され、
前記第２連結部は、前記第２引き出し部コイルパターンの中央部から前記本体の第２方向を向くように配置される、請求項１から５の何れか一項に記載の積層電子部品。
【請求項１４】
前記複数の多角形は、五角形、または三角形である、請求項１から１３の何れか一項に記載の積層電子部品。
【請求項１５】
前記最上部コイルパターンのうち一つに設けた中央部コイルパターンの一端部は、ビアを介して前記最上部シートの真下に配置される前記中央部シート上に設けた一つの前記第１側部コイルパターンと電気的に接続され、前記最上部コイルパターンのうち中央部コイルパターンの他端部は、前記ビアを介して前記最上部シートの真下に配置される前記中央部シート上の一つに設けた前記第２側部コイルパターンと電気的に接続され、
前記最下部コイルパターンのうち一つの前記中央部コイルパターンの一端部は、前記ビアを介して前記最下部シートの真上に配置される前記中央部シート上に設けた一つの前記第１側部コイルパターンと電気的に接続され、前記最下部コイルパターンのうち中央部コイルパターンの他端部は、前記ビアを介して前記最下部シートの真下に配置される前記中央部シート上に設けた一つの前記第２側部コイルパターンと電気的に接続される、請求項１に記載の積層電子部品。
【請求項１６】
一つの前記中央部シート上において前記第１側部コイルパターン内に含まれる前記複数の多角形の数は、同一の前記中央部シート上に配置され、前記第２側部コイルパターン内に含まれる前記複数の多角形の数と同一である、請求項１または請求項１５に記載の積層電子部品。
【請求項１７】
前記コイルに流れる電流と関連する磁場の方向は前記本体を形成する前記複数のシートに含有されている磁性粉末粒子の長軸方向と平行である、請求項１から請求項１６の何れか一項に記載の積層電子部品。
【請求項１８】
請求項１から請求項１７の何れか一項に記載の積層電子部品を含み、前記積層電子部品が主（ｍａｉｎ）アンテナとして使用される、積層型チップアンテナ。
【請求項１９】
請求項１から請求項１７の何れか一項に記載の積層電子部品を含み、前記積層電子部品が副（ｓｕｂ）アンテナとして使用され、前記副（ｓｕｂ）アンテナはそれと隣接するように配置される主（ｍａｉｎ）アンテナと直列に連結される、積層型チップアンテナ。
【請求項２０】
形状異方性を有する磁性粉末を含み、それぞれの磁性粉末の長軸方向が他の磁性粉末の長軸方向と平行となるように配置されている本体と、
前記本体の外部面に配置され、複数個の導体パターンが巻線されるコイルと、を含み、
前記複数個の導体パターンが巻線されるコイルは、前記本体のそれぞれの外部面に配置される中央部コイルパターンを含み、それぞれの前記中央部コイルパターンの外部面は前記本体のそれぞれの外部面に合わせて配置されるか、前記本体のそれぞれの外部面から外に向かって配置され
前記本体は複数個の積層シートを含み、前記積層シートのそれぞれは形状異方性を有する磁性粉末を含み、
前記コイルは第１引き出し部コイルパターン及び第２引き出し部コイルパターンを含み、前記第１引き出し部コイルパターン及び第２引き出し部コイルパターンのそれぞれは、前記本体の複数個の前記積層シートのうち最上部のシートの上面及び最下部のシートの下面のいずれか一方に配置され、
前記第１引き出し部コイルパターン及び第２引き出し部コイルパターンのうち少なくとも一方は、前記本体の表面に存在する溝内に配置され、
前記コイルは、前記本体の複数個の前記積層シートのうち、前記最上部のシートと前記最下部のシートとの間の中央部に配置される中央部シートの側部に積層方向を向いて配置される側部コイルパターンをさらに含み、
前記中央部シートの上面は、第１側部コイルパターン及び第２側部コイルパターンを含み、
前記第１側部コイルパターンは、前記本体の第３方向において対向する両端部のうち一端部から内側に向かって延び、前記本体の第２方向に沿って所定間隔だけ離隔して配置される複数の多角形を含み、
前記第２側部コイルパターンは、前記中央部シートの両端部のうち他端部から内側に向かって延び、前記本体の第２方向に沿って所定間隔だけ離隔して配置される複数の多角形を含み、
前記複数の多角形が配置される幅は、前記本体の第２方向に延びる長さに等しく、複数の前記中央部シートのうち一つの前記中央部シートの上面に配置される前記第１側部コイルパターン及び第２側部コイルパターン内において前記複数の多角形が配置される幅は、前記中央部シートの真下に位置する他の前記中央部シートの上面に配置される前記第１側部コイルパターン及び第２側部コイルパターン内において前記複数の多角形が配置される幅より小さい、電子部品。
【請求項２１】
前記コイルに流れる電流と関連する磁場の方向は前記磁性粉末の長軸方向と平行である、請求項２０に記載の電子部品。
【請求項２２】
前記第１引き出し部コイルパターンは、前記本体の長軸方向において互いに対向する両端部の一方の端部に沿って、前記最上部のシートの上面に配置され、
第２引き出し部コイルパターンは、前記本体の長軸方向において互いに対向する前記両端部の他方の端部に沿って、前記最下部のシートの下面に配置される、請求項２０または２１に記載の電子部品。
【請求項２３】
形状異方性を有する前記磁性粉末は、それぞれの前記積層シート内のそれぞれの前記磁性粉末の長軸方向がそれぞれの前記積層シート内の他の磁性粉末の長軸方向と平行となるように配置され、
複数個の前記積層シートは、一つの前記積層シート内の磁性粉末の長軸方向が他の前記積層シート内の磁性粉末の長軸方向と平行となるように配置される、請求項２０から２２の何れか一項に記載の電子部品。
【請求項２４】
前記コイルは、前記本体の複数個の前記積層シートのうち最上部のシートの上面と最下部のシートの下面の間において前記本体の側面に積層方向を向いて配置される側部コイルパターンを含み、前記側部コイルパターンは、前記最上部のシートと前記最下部のシートの間に配置される複数の前記積層シートの上面の角部に配置される導電性多角形を含む、請求項２０から請求項２３の何れか一項に記載の電子部品。
【請求項２５】
それぞれの前記導電性多角形は、複数の前記積層シートのうち特定の前記積層シートの上面の角から前記導電性多角形の幅と同一の長さだけ特定の前記積層シートの上面から内側に延びる、請求項２４に記載の電子部品。
【発明の詳細な説明】
【技術分野】
【０００１】
本発明は、積層電子部品及び積層型チップアンテナに関し、特に、積層型インダクター、及び上記積層型インダクター内の本体をコア部として含み、コイルをコイル部として含む積層型チップアンテナに関する。
【背景技術】
【０００２】
既存のインダクター素子のコアを形成するために使用される磁性材料は、フェライト（Ｆｅｒｒｉｔｅ）や金属粉末のように球状に近い粒子形状の紛体から形成される磁性材料であり、磁場が加えられると特定の方向ではなく全方向に対して均等に磁場が分布することになるが、例えば、ＮＦＣ（Ｎｅａｒ  Ｆｉｅｌｄ  Ｃｏｍｍｕｎｉｃａｔｉｏｎ）やＭＳＴ（Ｍａｇｎｅｔｉｃｅ  Ｓｅｃｕｒｅ  Ｔｒａｎｓｍｉｓｓｉｏｎ）のように、認識距離の増加が必要な部品では、特定の方向に磁場を集中させることが必要となる。
【０００３】
下記の特許文献１には、複数の導体パターンが印刷された複数の磁性体層を積層して形成される本体を含む積層インダクターについて開示している。しかしながら、特許文献１には、磁性体層内の磁性材料の磁場方向を整列させ、それに伴い導体パターンの方向を調節しようとする問題の認識については開示されていない。
【先行技術文献】
【特許文献】
【０００４】
【特許文献１】韓国公開特許第２００９−００１９２５１号公報
【発明の概要】
【発明が解決しようとする課題】
【０００５】
本発明は、特定の方向に磁場の向きを集中させることにより磁束（ｍａｇｎｅｔｉｃ  ｆｌｕｘ）密度及びインダクタンスの増加を実現可能な積層電子部品及び積層型チップアンテナを提供することを目的とする。
【課題を解決するための手段】
【０００６】
本発明の一実施例によると、磁性粉末を含有する複数のシートが積層される本体と、上記本体の外部面上に配置されるコイルと、を含む積層電子部品が提供される。
【０００７】
上記本体の外部面上に配置されるコイルは、最上部に積層されたシートの上面に配置される最上部コイルパターンと、最下部に積層されたシートの下面に配置される最下部コイルパターンと、上記最上部のシートと上記最下部のシートとの間の中央部に積層された複数のシートを含んで構成される積層シートの側面に積層方向を向いて配置される側部コイルパターンと、を含む。
【０００８】
上記本体を構成する複数のシート内に含有されている磁性粉末は、形状磁気異方性（ｓｈａｐｅ  ｍａｇｎｅｔｉｃ  ａｎｉｓｏｔｒｏｐｙ）を有し、この場合、磁気異方性によって定まる上記磁性粉末の長軸方向は、上記本体の一方向に沿って整列される。
【０００９】
一方、本発明の他の実施例によると、上記積層電子部品内の本体をコア部として含み、上記積層電子部品内のコイルをコイル部として含む積層型チップアンテナが提供される。この際、上記積層型チップアンテナは、主（ｍａｉｎ）アンテナを設けるべき位置又は副（ｓｕｂ）アンテナを設けるべき位置に配置される。
【発明の効果】
【００１０】
本発明の一実施例によると、シート（ｓｈｅｅｔ）内に含有されている粉末の磁場の向きを一方向に集中させて磁束（ｍａｇｎｅｔｉｃ  ｆｌｕｘ）密度を増加させた積層電子部品及び積層型チップアンテナが提供される。
【００１１】
本発明の一例によると、磁性粉末の磁化が容易となる向きに対応する磁化容易軸方向に磁場を集中させて、透磁率、認識距離を増加させ、且つサイズを小型化した積層電子部品及び積層型チップアンテナが提供される。
【図面の簡単な説明】
【００１２】
【図１】本発明の一例による積層電子部品を示す概略的な斜視図である。
【図２】図１の一変形例による積層電子部品を示す概略的な斜視図である。
【図３】磁性粉末の形状磁気異方性の配向特性を表す座標系を示す図である。
【図４ａ】従来の球状の磁性粉末に関する概略的な断面図である。
【図４ｂ】従来の球状の磁性粉末に関する概略的な断面図である。
【図４ｃ】球状の磁性粉末の磁場方向を概略的に示す。
【図５ａ】本発明の一例による積層電子部品の本体内に含有される磁性粉末の断面図である
【図５ｂ】上記磁性粉末が一方向に整列されたシートに対する断面図である。
【図５ｃ】上記磁性粉末の磁場方向を概略的に示す。
【図６ａ】磁性粉末の片状化程度とそれによる透磁率の変化を示す。
【図６ｂ】磁性粉末の片状化程度とそれによる透磁率の変化を示す。
【図６ｃ】磁性粉末の片状化程度とそれによる透磁率の変化を示す。
【図６ｄ】磁性粉末の片状化程度とそれによる透磁率の変化を示す。
【図７ａ】図１の積層電子部品の本体の外部面上のコイルを示す概略的な断面図である。
【図７ｂ】図１の積層電子部品の本体の外部面上のコイルを示す概略的な断面図である。
【図７ｃ】図１の積層電子部品の本体の外部面上のコイルを示す概略的な断面図である。
【図７ｄ】図１の積層電子部品の本体の外部面上のコイルを示す概略的な断面図である。
【図８ａ】図２の積層電子部品の本体の外部面上のコイルを示す概略的な断面図である。
【図８ｂ】図２の積層電子部品の本体の外部面上のコイルを示す概略的な断面図である。
【図８ｃ】図２の積層電子部品の本体の外部面上のコイルを示す概略的な断面図である。
【図８ｄ】図２の積層電子部品の本体の外部面上のコイルを示す概略的な断面図である。
【図９】図１の積層電子部品の複数のシートの分解斜視図である。
【図１０】図２の積層電子部品の複数のシートの分解斜視図である。
【図１１】図１の積層電子部品の概略的な上面図である。
【図１２】本発明の他の例による積層型チップアンテナを示す。
【発明を実施するための形態】
【００１３】
以下では、添付の図面を参照して本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどはより明確な説明のために拡大縮小表示（または強調表示や簡略化表示）がされることがある。
【００１４】
また、本発明を明確に説明すべく、図面において説明と関係ない部分は省略し、多様の層構造及び領域部分を図中で明確に表現するために厚さを拡大して示し、同一の技術思想の範囲内において機能が同一である構成要素に対しては同一の参照符号を用いて説明する。
【００１５】
さらに、明細書全体において、ある構成要素を「含む」という表現は、そうではないと特に断らない限り、他の構成要素を除外する趣旨ではなく、他の構成要素をさらに含むことができることを意味する。
【００１６】
以下では、本発明の一実施例による積層電子部品及びそれを含むアンテナについて説明するが、本発明に係る積層電子部品及びそれを含むアンテナは、必ずしもこのような実施例に限定されるものではない。
【００１７】
＜積層電子部品＞
図１は本発明の一実施例による積層電子部品の概略的な斜視図であり、図２は図１の本発明の一変形例による積層電子部品の概略的な斜視図である。
【００１８】
図１及び図２を参照すると、積層電子部品１００は、本体１と、本体の外部面に配置されるコイル２と、を含む。
【００１９】
図１及び図２の積層電子部品１００は、同じ本体１を含むため、先ず、積層電子部品の本体１について以下のとおり説明する。
【００２０】
上記本体１は、第１方向において互いに対向する第１面及び第２面、第２方向において互いに対向する第３面及び第４面、並びに第３方向において互いに対向する第５面及び第６面を含み、実質的に六面体の形状を有するものであってもよいが、本発明に係る積層電子部品の本体形状はこれに限定されるものではない。
【００２１】
上記本体１の第１方向は、複数のシートが積層される方向であり、本体１の厚さ方向Ｔと一致してもよく、上記本体１の第２方向は、本体１の長さ方向Ｌと一致してもよく、上記本体１の第３方向は、本体１の幅方向Ｗと一致してもよい。
【００２２】
上記本体１は、最上部シート１ａ、最下部シート１ｂ、および最上部シート１ａと最下部シート１ｂとの間の中央部に積層された複数のシートを含んで構成される積層シート１ｃを本体の第１方向に積層することにより形成される。この場合、本体１の最上部シート１ａと最下部シート１ｂとの間の中央部に配置される積層シート１ｃを構成する複数のシートの枚数は、所定の枚数に固定される必要はなく、最終的に完成したインダクター素子の厚さ及び製品の仕様に応じて求められるインダクタンス値を考慮して任意の枚数とすることができる。
【００２３】
次に、図１及び図２の積層電子部品１００は、互いに別個のコイル２をそれぞれ含むため、以下においては、図１に示すコイルと図２に示すコイルについて順に説明する。
【００２４】
まず、図１を参照すると、図１に示すコイル２は、最上部シート１ａの上面に配置される最上部コイルパターン２１と、最下部シート１ｂの下面に配置される最下部コイルパターン２２と、上記最上部シート１ａと上記最下部シート１ｂとの間に配置される積層シート１ｃの側部に積層方向を向いて配置される側部コイルパターン２３、２４と、を含む。
【００２５】
上記最上部コイルパターン２１、上記最下部コイルパターン２２、及び上記側部コイルパターン２３、２４は、互いに電気的に接続されることにより連続的な導体パターンとして設けられ、同一の磁性コアを共有する磁気回路（ｍａｇｎｅｔｉｃ  ｃｉｒｃｕｉｔ）を形成する。
【００２６】
上記最上部コイルパターン２１は、本体１の第３方向において互いに対向する最上部シート１ａの両端部を電気的に接続する多数の中央部コイルパターンと、本体１の第２方向において互いに対向し、最上部シート１ａの両端部と接するように配置される第１引き出し部コイルパターン２１１及び第２引き出し部コイルパターン２１２と、を含む。
【００２７】
また、上記最下部コイルパターン２２は、本体の第３方向において互いに対向する最下部シート１ｂの両端部を電気的に接続する多数の中央部コイルパターンを含む。
【００２８】
上記側部コイルパターン２３、２４は、上記最上部コイルパターン２１の中央部コイルパターンと上記最下部コイルパターン２２の中央部コイルパターンとを電気的に接続するように配置される多数の中央部コイルパターンを含む。
【００２９】
次に、図２を参照すると、コイル２は、最上部シート１ａの上面に配置される最上部コイルパターン２１と、最下部シート１ｂの下面に配置される最下部コイルパターン２２と、上記最上部シート１ａと上記最下部シート１ｂとの間に配置される積層シート１ｃの側部に積層方向を向いて配置される側部コイルパターン２３、２４と、を含む。
【００３０】
上記最上部コイルパターン２１、上記最下部コイルパターン２２、及び上記側部コイルパターン２３、２４は、互いに電気的に接続されることにより連続的な導体パターンとして配置され、同一の磁性コアを共有する磁気回路（ｍａｇｎｅｔｉｃ  ｃｉｒｃｕｉｔ）を形成する。
【００３１】
上記最上部コイルパターン２１は、本体１の第３方向において互いに対向する最上部シート１ａの両端部を電気的に接続する多数の中央部コイルパターンと、本体１の第２方向において互いに対向する最上部シート１ａの両端部のうち一端部と接するように配置される第１引き出し部コイルパターン２１１と、を含む。
【００３２】
上記最下部コイルパターン２２は、本体１の第３方向において互いに対向する最下部シート１ｂの両端部を電気的に接続する多数の中央部コイルパターンと、本体１の第２方向において互いに対向する最下部シート１ｂの両端部のうち一端部と接するように配置される第２引き出し部コイルパターン２１２と、を含む。
【００３３】
上記側部コイルパターン２３、２４は、上記最上部コイルパターン２１の中央部コイルパターンと上記最下部コイルパターン２２の中央部コイルパターンとを電気的に接続するように配置される多数の中央部コイルパターンを含む。
【００３４】
一方、図１及び図２の本体１内に含まれるシートは、形状磁気異方性を有し、磁気異方性によって定まる長軸方向が上記シートの面内における特定の一方向（例えば、本体１の第２方向と平行な方向）に沿って整列されるように配置される磁性粉末を含む。
【００３５】
ここで、磁性粉末が形状磁気異方性を有すると、磁場によって生じる磁束の向きを一方向に集中させることができるが、これに関する具体的なメカニズムについて、下記の数式１とそれに関連する座標系（図３）を用いて以下のとおりに説明する。
【００３６】
【数１】
0006611097.tif 000002
（ここで、Ｋｓは形状磁気異方性の大きさ、Ｎａはａ軸方向（図３を参照）に沿った磁化に対する反磁場係数、Ｎｃはｃ軸方向（図３を参照）に沿った磁化に対する反磁場係数をそれぞれ表し、Ｍ２は磁化の強度を表す）
【００３７】
上記数式１によると、磁性粉末の粒子形状が球状であり、ＮａとＮｃが互いに等しい値、すなわち、Ｎａ＝Ｎｃである場合、Ｋｓは０になるため、形状磁気異方性が無くなる。一方、磁性粉末の粒子形状が片状化してｃ軸方向に延びる長さが長くなると、ＮａとＮｃとの差は大きくなり、形状磁気異方性も大きくなる。この際、ｃ軸方向に沿った磁化に対する反磁場係数（Ｎｃ）は小さくなるため、ｃ軸方向への磁化は容易となるが、ｃ軸方向に対して垂直な方向への磁化は困難となる。
【００３８】
以下、磁性粉末の形状磁気異方性と磁化容易軸（磁化が容易となる軸方向）との間の関係に関する上記メカニズムに基づいて、図４ａ〜図４ｃ及び図５ａ〜図５ｃについて説明する。
【００３９】
図４ａ〜図４ｃは従来の球状の粒子形状を有する磁性粉末を含んで形成されるシートに関連し、図５ａ〜図５ｃは本発明の一実施例による形状磁気異方性を有する磁性粉末を含んで形成されるシートに関連する。
【００４０】
まず、図４ａは従来のフェライト（Ｆｅｒｒｉｔｅ）コアの断面を示し、図４ｂは球状の粒子形状を有するＦｅ−Ｓｉ−Ｃｒ系金属粉末の断面を示す。
【００４１】
また、図４ｃは図４ａ及び図４ｂの球状の粒子形状を有する磁性粉末に磁場が加えられた場合の磁場方向を示す。この場合、球状に近い粒子形状を有するフェライト粉末やＦｅ−Ｓｉ−Ｃｒ系金属粉末に磁場を加えると、特定の方向ではなく、全方向に対してほぼ均等に磁場が分布して生じるため、磁束を特定の方向に集中させることが困難である。
【００４２】
次に、図５ａは、本発明の一例による金属フレーク（ｆｌａｋｅ）の磁性粉末の断面を示し、図５ｂは、図５ａに示す金属フレークの磁性粉末の粒子配向が一方向に沿って整列させられた状態で形成されるシートの断面を示す。
【００４３】
また、図５ｃは、図５ａの磁性粉末に磁場が加えられた場合の磁場方向を示す。この場合、本発明の一例による磁性粉末は、形状磁気異方性を有し、磁気異方性によって定まる上記磁性粉末の長軸方向は、上記本体１の特定の一方向に沿って整列させられる。
【００４４】
磁気異方性によって定まる上記磁性粉末の長軸方向が上記本体１の特定の一方向に沿って整列されるというのは、個別の複数のシート内で上記磁性粉末の粒子配向に対応する長軸方向がシートの面内における一方向に沿って並んで整列させられることを意味する。
【００４５】
上記磁性粉末は、形状磁気異方性を有する粒子形態を有するものであればどのような磁性紛体を用いてもよく、その具体的な材質は限定されず、例えば、鉄（Ｆｅ）、Ｆｅ−Ｓｉ系合金、センダスト（Ｆｅ−Ｓｉ−Ａｌ、Ｓｅｎｄｕｓｔ）、パーマロイ（Ｆｅ−Ｎｉ、Ｐｅｒｍａｌｌｏｙ）、Ｆｅ−Ｓｉ−Ｃｒ系合金、Ｆｅ−Ｓｉ−Ｂ−Ｃｒ系非晶質合金などを含む一群の磁性材料の中から選択される一つ以上の合金素材を含んでもよい。
【００４６】
上記磁性粉末の粒子形状は、例えば、板状形態のフレーク（ｆｌａｋｅ）形状を有するか、又は長い紐形状を有してもよい。
【００４７】
次に、図６ａ〜図６ｄを参照すると、磁性粉末の形状磁気異方性の程度が増加するほど、それに応じてインダクターの透磁率も増加することが分かる。
【００４８】
図６ａは球状の粒子形状を有するＦｅ−Ｃｒ−Ｓｉ−Ａｌ合金の磁性粉末の断面図であり、図６ｂは上記球状の粒子形状を有する磁性粉末を５時間かけて片状化する処理を行った後の磁性粉末粒子の断面図であり、図６ｃは上記球状の粒子形状を有する磁性粉末を１０時間かけて片状化する処理を行った後の磁性粉末粒子の断面図である。
【００４９】
図６ａ〜図６ｃから分かるように、粒子形状を片状化する処理を継続して行う時間が長くなるにつれて磁性粉末の粒子形状が片状化する度合いは増加する。
【００５０】
上記のように粒子形状を片状化する処理の具体的方法は、特に限定されないが、例えば、ボールミリング（ｂａｌｌ  ｍｉｌｌｉｎｇ）、超音波ミリング、ビーズミリング（ｂｅａｄ  ｍｉｌｌｉｎｇ）、アトライター（ａｔｔｒｉｔｏｒ）の中から選択される一つの処理方法であってもよい。
【００５１】
次に、図６ｄは上記図６ａ〜図６ｃに示す各磁性粉末の透磁率（ｐｅｒｍｅａｂｉｌｉｔｙ）が周波数に応じて変化する様子を示すグラフであるが、高周波領域及び低周波領域を両方とも含む周波数領域において磁性粉末の粒子形状における片状化の程度が増加するほど透磁率も増加することが分かる。
【００５２】
一方、本発明の一実施例によると、粒子形状を片状化することにより形状磁気異方性を付与された磁性粉末は、複数のシート上において特定の方向に沿って整列され、上記複数のシートが厚さ方向Ｔに沿って順に積層される。
【００５３】
これについて、以下において詳しく述べるとおり、片状化した磁性粉末を複数のシート上における特定の方向に沿って整列した後、上記シートを積層して本体を形成する構成と、上記片状化した磁性粉末を従来の金型により形成されるモールド（ｍｏｌｄ）内に配置する構成とでは、結果的に得られる技術的効果が互いに相違する。
【００５４】
具体的には、モールドを用いてインダクター素子の本体１を作製する場合、内部に含有される片状化したフレーク（ｆｌａｋｅ）状の磁性粉末のスプリングバック（ｓｐｒｉｎｇ  ｂａｃｋ）現象によってインダクター素子の本体が高さ方向に膨張する現象が発生することにより空隙が発生することになり、表面亀裂が発生し得る。
【００５５】
また、インダクター素子の本体内に空隙が発生するため、本体１の密度減少による透磁率の低下が発生する。
【００５６】
また、モールドを用いる場合、相対的に高い圧力が本体１に加えられるため、外部ストレス（ｓｔｒｅｓｓ）によって透磁率が減少し得る。
【００５７】
しかし、本発明の一実施例による積層電子部品は、磁性粉末を含有する複数のシートが厚さ方向Ｔに積層された本体１を含むことから、従来のモールドなどにより本体１を製造する場合に発生し得る透磁率の減少や表面亀裂などの好ましくない副作用の発生が防止され、磁束を特定の方向に集中させることができる。
【００５８】
したがって、本発明の一実施例による積層電子部品の本体１を製造する際に、片状化することにより形状磁気異方性を付与された磁性粉末を単純にモールド（ｍｏｌｄ）内に充填して本体１の外形を作る代わりに、複数のシート上に特定の方向に沿って上記片状化した磁性粉末を整列し、上記磁性粉末が含有された個別のシートを順に積層して本体１の外形を作ることで、より良質の磁束が整列された本体を提供する。
【００５９】
次に、図７ａ〜図７ｄは図１に示す本体１の外部面に配置されるコイル２を概略的に示す断面図である。
【００６０】
上記コイル２は、本体１の外部面上に配置され、最上部シート１ａの上面に配置される最上部コイルパターン２１と、最下部シート１ｂの最下部コイルパターン２２と、上記最上部シート１ａと最下部シート１ｂとの間の中央部に積層される複数のシートを含んで構成される積層シート１ｃの側面に積層方向を向いて配置される側部コイルパターン２３、２４と、を含むことができる。
【００６１】
上記コイル２のうち、最上部コイルパターン２１、最下部コイルパターン２２、及び上記側部コイルパターン２３、２４は、互いに電気的に接続されることにより連続的な導体パターンとして配置されて一つの磁気回路（ｍａｇｎｅｔｉｃ  ｃｉｒｃｕｉｔ）を形成する。
【００６２】
また、上記コイル２は、本体１内に含有される磁性粉末の長軸方向（磁性異方性の向きに対応）が整列させられる方向と平行な方向を向くように磁性コアを形成するようにして本体１の外部面上に配置される。
【００６３】
その結果、磁化容易軸に相当する磁性粉末の長軸方向が整列させられる方向に磁場の向きが集中させられることにより、高い透磁率を確保することができる。
【００６４】
上記コイル２に関する具体的な説明は、下記の図７ａ〜図７ｄを参照して説明する。
【００６５】
まず、図７ａは本体１の最上部シート１ａの上面にコイル２のうち最上部コイルパターン２１が配置されていることを示し、図７ｂは本体１の最下部シート１ｂの下面にコイル２のうち最下部コイルパターン２２が配置されていることを示す。
【００６６】
図７ａを参照すると、最上部コイルパターン２１は、本体１の第２方向において互いに対向する両端部とそれぞれ接するように配置される第１及び第２引き出し部コイルパターン２１１、２１２と、上記第１及び第２引き出し部コイルパターン２１１、２１２と連結され、上記第１引き出し部コイルパターン２１１と第２引き出し部コイルパターン２１２の間の領域において本体１の第２方向に沿って互いに離隔して配置される複数の中央部コイルパターン２１３ａ、２１３ｂ、２１３ｃ、２１３ｄ、２１３ｅと、を含む。
【００６７】
この場合、上記複数の中央部コイルパターンのうち第１引き出し部コイルパターン２１１と最も近接した中央部コイルパターン２１３ａは、第１連結部２１１ａを介して上記第１引き出し部コイルパターン２１１と接続されるように配置される。同様に、上記複数の中央部コイルパターンのうち第２引き出し部コイルパターン２１２と最も近接した中央部コイルパターン２１３ｅは、第２連結部２１２ａを介して上記第２引き出し部コイルパターン２１２と接続されるように配置される。
【００６８】
上記第１及び第２連結部２１１ａ、２１２ａは、第１及び第２引き出し部コイルパターン２１１、２１２と中央部コイルパターンを連結する一部を示し、コイルのパターンを適切に変更する場合、一見して明瞭に区別することができないほどに上記第１及び第２引き出し部コイルパターンと一体的に形成されることができる。
【００６９】
図７ｂを参照すると、最下部コイルパターン２２は、本体１の第２方向において互いに離隔して配置される複数の中央部コイルパターン２２３ａ、２２３ｂ、２２３ｃ、２２３ｄを含む。
【００７０】
上記最下部コイルパターン２２内に含まれる複数の中央部コイルパターン２２３ａ、２２３ｂ、２２３ｃ、２２３ｄは、本体１の第２方向に沿って互いに離隔して配置され、ストリップ形状を有する多数の導体パターンとして形成されている。
【００７１】
この場合、上記最上部コイルパターン２１のうち複数の中央部コイルパターン２１３ａ、２１３ｂ、２１３ｃ、２１３ｄ、２１３ｅと、上記最下部コイルパターン２２のうち複数の中央部コイルパターン２２３ａ、２２３ｂ、２２３ｃ、２２３ｄは、本体１の幅方向Ｗにおいて互いに対向する両端部を連結する多数の導体パターンとして形成され、当該導体パターンの各々がストリップ形状を有することができ、ストリップ形状を有する当該導体パターンの本数は、所望のインダクタンス値などを考慮して決定されてもよく、所定の本数に限定されるものではない。
【００７２】
この場合、上記ストリップ形状の導体パターンは、本体１の幅方向Ｗと平行に配置されてもよく、本体１の幅方向Ｗに対して所定の角度オフセットで傾いた方向を向くように配置されてもよい。これらは、製造工程上の条件や設計変更などを考慮して、適切に調節するようにしてもよい。ただし、上記ストリップ形状の導体パターンを本体１の幅方向Ｗに対して所定の角度オフセットで傾いた方向を向くように配置する場合、複数の中央部コイルパターンが配置され得る領域の面積がより広くなり得るため、シート上に実現しようとする巻線数が多い場合に好適となり得る。
【００７３】
次に、図７ｃは最上部シート１ａと最下部シート１ｂとの間の中央部に積層される複数のシートの一側面に積層方向を向いて配置される側部コイルパターン２３を示し、図７ｄは中央部に積層される複数のシートの他側面に配置される側部コイルパターン２４を示す。
【００７４】
上記側部コイルパターン２３、２４は、本体１の幅方向Ｗにおいて互いに対向する第５面及び第６面上にそれぞれ配置することができる。
【００７５】
図７ｃを参照すると、側部コイルパターン２３は、磁性粉末の長軸方向が整列させられる方向に対して垂直であり、且つ本体１の第２方向に沿って互いに離隔して配置される多数の中央部コイルパターン２３３ａ、２３３ｂ、２３３ｃ、２３３ｄを含むことができ、上記中央部コイルパターン２３３ａ、２３３ｂ、２３３ｃ、２３３ｄはストリップ形状を有する多数の導体パターンとすることができる。
【００７６】
ストリップ形状を有する上記多数の導体パターンの一端部は、最上部コイルパターン２１のうち複数の中央部コイルパターンの一端部と接続されるようにすることができ、ストリップ形状を有する上記多数の導体パターンの他端部は、最下部コイルパターン２２のうち複数の中央部コイルパターンの一端部と接続されるようにすることができる。
【００７７】
図７ｄを参照すると、側部コイルパターン２４は、磁性粉末の長軸方向が整列させられる方向に対して垂直であり、且つ本体１の第２方向に沿って互いに離隔して配置される多数の中央部コイルパターン２４３ａ、２４３ｂ、２４３ｃ、２４３ｄを含むことができ、上記中央部コイルパターン２４３ａ、２４３ｂ、２４３ｃ、２４３ｄは、ストリップ形状を有する多数の導体パターンとすることができる。
【００７８】
ストリップ形状を有する上記多数の導体パターンの一端部は、最上部コイルパターン２１のうち複数の中央部コイルパターンの一端部と接続されるようにすることができ、ストリップ形状を有する上記多数の導体パターンの他端部は、最下部コイルパターン２２のうち複数の中央部コイルパターンの一端部と接続されるようにすることができる。
【００７９】
この場合、側部コイルパターン２３、２４内における中央部コイルパターンの本数は、特定の本数に限定されず、求められるインダクタンス値などの電気的特性に応じて多様に決定されてもよい。
【００８０】
また、側部コイルパターン２３、２４内における複数の中央部コイルパターンが本体１の第２方向に沿って互いに離隔して配置される際の配置間隔は同一であってもよい。
【００８１】
本体１の第３方向において互いに対向する側部コイルパターン２３、２４内における複数の中央部コイルパターンを構成する多数のストリップ形状部材は、本体１の第５面と本体１の第６面上において互いに対応する位置に配置することができるが、この場合、上記側部コイルパターン２３、２４と接続される最上部コイルパターン２１及び最下部コイルパターン２２のうち中央部コイルパターンを構成する多数のストリップ形状部材は、本体１の幅方向Ｗに対して平行となるように配置することができる。
【００８２】
一方、側部コイルパターン２３内における複数の中央部コイルパターンを構成するストリップ形状部材が本体１の第５面上に配置される位置と、側部コイルパターン２４内の複数の中央部コイルパターンを構成するストリップ形状部材が本体１の第６面上に配置される位置とは互いに対応していない場合もある。このような場合、上記側部コイルパターン２３、２４と接続される最上部コイルパターン２１及び最下部コイルパターン２２のうち中央部コイルパターンを構成する複数のストリップ形状部材が、互いに所定の間隔を隔てて本体１の第３方向に対して所定の角度オフセットだけ傾いた方向を向いて配置されるようにすることができる。
【００８３】
本発明の一実施例によると、側部コイルパターン２３、２４を配置する方向が、本体１を形成する片状化した磁性粉末が整列させられて磁場が形成される方向に対して垂直となるようにすることで、積層インダクターの磁束を特定の方向に集中させることができ、透磁率を向上させることができる。
【００８４】
一方、側部コイルパターン２３、２４内の複数の中央部コイルパターンを構成する多数のストリップ形状部材は、磁性粉末の長軸方向が整列させられる方向に対して垂直ではなく、磁性粉末の整列方向に対して垂直となる方向を基準として所定の角度オフセットだけ斜めを向いて配置されるように変更されてもよい（図示せず）。
【００８５】
これは、多数のストリップ形状部材を配置する工程において便宜上選択的に採用可能な一変形例であってもよい。
【００８６】
ただし、この場合にも側部コイルパターン２３、２４は、磁性粉末の長軸方向が整列させられる方向に対して垂直に配置されて、磁性粉末の形状磁気異方性による磁場集中の傾向を維持可能な程度の傾斜角度をつけて配置されることが好ましい。
【００８７】
次に、図８ａ〜図８ｄは、図２に示す本体１の外部面に配置されるコイル２を概略的に示す断面図である。
【００８８】
この場合、図８ｃ及び図８ｄはそれぞれコイル２のうち側部コイルパターン２３、２４に関する概略的な断面図であり、これは、実質的に図７ｃ及び図７ｄと同一であるため、それに関する具体的な説明は省略する。
【００８９】
図８ａは本体１の最上部シート１ａの上面にコイル２のうち最上部コイルパターン２１が配置されていることを示し、図８ｂは本体１の最下部シート１ｂの下面にコイル２のうち最下部コイルパターン２２が配置されていることを示す。
【００９０】
まず、図８ａを参照すると、最上部コイルパターン２１は、本体１の第２方向において互いに対向する最上部シート１ａの両端部のうち一端部と接するように配置される第１引き出し部コイルパターン２１１と、上記第１引き出し部コイルパターン２１１と接続され、本体１の第２方向に沿って互いに離隔して配置される複数の中央部コイルパターン２１３ａ、２１３ｂ、２１３ｃ、２１３ｄ、２１３ｅと、を含む。この場合、上記複数の中央部コイルパターンのうち第１引き出し部コイルパターン２１１と最も近接した中央部コイルパターン２１３ａは、第１連結部２１１ａを介して上記第１引き出し部コイルパターン２１１と接続されるように配置される。
【００９１】
図８ｂを参照すると、最下部コイルパターン２２は、本体の第２方向において互いに対向する最下部シート１ｂの両端部のうち一端部と接するように配置される第２引き出し部コイルパターン２１２と、上記第２引き出し部コイルパターン２１２と連結され、本体１の第２方向に沿って互いに離隔して配置される複数の中央部コイルパターン２２３ａ、２２３ｂ、２２３ｃ、２２３ｄと、を含む。
【００９２】
上記最下部コイルパターン２２内に含まれる複数の中央部コイルパターン２２３ａ、２２３ｂ、２２３ｃ、２２３ｄは、本体１の第２方向に沿って互いに離隔して配置され、これらを離隔して配置する際の配置間隔は同一であってもよい。
【００９３】
上記最上部コイルパターン２１のうち複数の中央部コイルパターン２１３ａ、２１３ｂ、２１３ｃ、２１３ｄ、２１３ｅと、上記最下部コイルパターン２２のうち複数の中央部コイルパターン２２３ａ、２２３ｂ、２２３ｃ、２２３ｄは、本体１の幅方向Ｗにおいて互いに対向する両端部を接続する多数の導体パターンとして形成することができ、当該導体パターンの各々は、ストリップ形状を有することができる。
【００９４】
この場合、上記ストリップ形状部材は、本体１の幅方向Ｗと平行となうように配置されてもよく、本体１の幅方向Ｗに対して所定の角度オフセットだけ傾いた方向を向くように配置されてもよい。これは、製造工程上の条件や設計変更などを考慮して、適切に調節するようにしてもよい。ただし、上記ストリップ形状部材を本体１の幅方向Ｗに対して所定の角度で傾くように配置する場合、複数の中央部コイルパターンが配置される領域の面積がより広くなり得るため、シート上に実現しようとする巻線数が多い場合に好適となり得る。
【００９５】
本発明の一実施例によると、上述したコイル２の巻回パターンが実現されればよく、その巻回パターンを実現する具体的な方法は特定の方法に限定されるものではない。
【００９６】
具体的な一例として、形状磁気異方性を有する磁性粉末の長軸方向を一方向に整列させた複数のシートのうち、最上部シート１ａ及び最下部シート１ｂ以外の複数の中央部シート１ｃの両側面上にＡｇペーストを使用して導体パターンを印刷する。次いで、上記導体パターンが印刷された中央部シート１ｃの下面に導体パターンが印刷されていない最下部シート１ｂを配置し、導体パターンが印刷された複数の中央部シート１ｃを順に積層させ、次いで、その積層されたシート１ｃの上面にパターンが印刷されていない最上部シート１ａを配置する。その後、上記積層体における最上部シート１ａの上面と最下部シート１ｂの下面の上にフォトレジストの塗布、マスキング、フォトレジストの露光及び現像を行い、さらにフォトレジストを使用してパターンをエッチング処理を行い、フォトレジストを剥離する工程を適用し、上記積層されるシート同士の接続をビア電極を活用して実現する方法が挙げられるが、本発明に係るパターン形成方法はこれに限定されるものではない。
【００９７】
このように、本体１の側面パターンは印刷工程により形成し、本体１の上面及び下面のパターンはエッチング処理により形成するようにすると、本体１の上面及び下面に形成されるコイルパターンの厚さが本体１の側面に形成されるコイルパターンの厚さよりも厚くなることがある。このようにして、印刷工程にエッチング工程を追加してコイルパターンを形成すると、上面及び下面に形成されるコイルパターンの厚さを十分に確保することができるため好適となる。
【００９８】
また、具体的な他の変形例として、複数のシートを含む積層体の本体１を形成した後、本体１の上面、下面、及び側面上にＡｇペーストを使用したパターン印刷を行うためのめっき処理によりパターンを形成する方法も挙げられるが、本発明に係るパターン形成方法はこれに限定されるものではない。
【００９９】
具体的なさらに他の変形例として、複数のシートを含む積層体の本体１を形成した後、上述した形状のコイルパターンを有するようにコイル形状の溝（ｇｒｏｏｖｅ）を形成し、無電解めっき法を使用して上記溝（ｇｒｏｏｖｅ）内にコイルを配置させる方法も挙げられるが、本発明に係るパターン形成方法はこれに限定されるものではない。
【０１００】
一方、図９及び図１０はそれぞれ図１及び図２に示すコイルパターンを実現する様々な方法のうち、最上部シート１ａ及び最下部シート１ｂを含む複数のシート上に導電性ペーストを使用してコイルパターンを印刷する方法に関するものであり、それぞれ図１及び図２に示す本体１内の複数のシートに関する分解斜視図を示す。
【０１０１】
上記導電性ペーストを印刷するための印刷方法としては、スクリーン印刷法又はグラビア印刷法などを使用してもよいが、本発明に係る印刷方法はこれらに限定されるものではない。
【０１０２】
上記導電性ペースト内に含有される導電性金属としては、銀（Ａｇ）、ニッケル（Ｎｉ）、及び銅（ｃｕ）又はこれらの合金を用いてもよいが、本発明で用いられる導電性金属材料はこれらに限定されるものではない。
【０１０３】
図９を参照すると、最上部シート１ａ上の最上部コイルパターン２１は、本体１の長さ方向Ｌにおいて互いに対向する両端部と接するように配置される第１及び第２引き出し部コイルパターン２１１、２１２と、上記第１及び第２引き出し部コイルパターン２１１、２１２と接続され、第１引き出し部コイルパターン２１１と第２引き出し部コイルパターン２１２との間の領域において本体１の長さ方向Ｌに沿って互いに離隔して配置される多数の中央部コイルパターン２１３ａ、２１３ｂ、２１３ｃ、２１３ｄ、２１３ｅと、を含む。また、最下部シート１ｂの最下部コイルパターン２２は、本体１の長さ方向Ｌに沿って互いに離隔して配置される多数の中央部コイルパターン２２３ａ、２２３ｂ、２２３ｃ、２２３ｄを含む。
【０１０４】
一方、最上部シート１ａと最下部シート１ｂとの間の中央部に積層される複数のシートを含んで構成される積層シート１ｃは、側部コイルパターン２３、２４を含む。この場合、上記側部コイルパターン２３、２４が巻回されるコア部分を構成する多数の中央部シートの上面には、本体１の幅方向Ｗにおいて対向する両端部にそれぞれ配置される第１側部コイルパターン２３と第２側部コイルパターン２４が印刷される。
【０１０５】
上記第１及び第２側部コイルパターン２３、２４の本数は、実現しようとする巻線数に応じて決定されるものであり、特定の本数に限定されない。
【０１０６】
第１側部コイルパターン２３は、導電性ペーストを使用して、中央部シート１ｃの上面の幅方向Ｗにおける両端部のうち一端部に沿って多数の多角形を並べて印刷して形成することができる。また、上記第２側部コイルパターン２４は、導電性ペーストを使用して、上記第１側部コイルパターン２３が配置される一端部と対向する他端部に沿って多数の多角形を並べて印刷して形成することができる。
【０１０７】
具体的に、上記中央部シート１ｃの両端部のうち一端部に配置される第１側部コイルパターン２３は、多数の多角形パターンを含み、上記多角形パターンは、上記中央部シート１ｃの一端部から内側に向かって延び、且つ本体１の長さ方向Ｌに沿って所定の間隔で離隔して配列される。
【０１０８】
同様に、上記中央部シート１ｃの両端部のうち他端部に配置される第２側部コイルパターン（図示せず）２４は、多数の多角形パターンを含み、上記多角形パターンは、上記中央部シート１ｃの他端部から内側に向かって延び、且つ本体１の長さ方向Ｌに沿って所定の間隔で離隔して配列される。
【０１０９】
上記多角形パターンが中央部シート１ｃの両端部から内側に延びる長さは、特定の長さに限定されず、製造工程上の条件又は工程設計上の条件を考慮して、適切に設定するようにしてもよい。
【０１１０】
上記中央部シート１ｃの両端部上で多数の多角形パターンが並行に配置される際の配置間隔は同一であってもよいが、このような配置間隔に限定されるものではない。上記間隔が小さいほどコイルの巻線数を多く確保することができる。
【０１１１】
一方、上記多角形が配置される幅は、本体１が第２方向に沿って延びる長さに等しく、複数の中央部シート１ｃに含まれる一つの中央部シート１ｃの上面に配置される上記第１及び第２側部コイルパターン２３、２４内において多角形が配置される幅は、上記中央部シートの真下に位置する他の中央部シートの上面に配置される上記第１及び第２側部コイルパターン２３、２４内において多角形が配置される幅と同一であるか、より小さくてもよい。これは、隣接する中央部シート１ｃのうち、下部に配置される中央部シート１ｃの上面の第１及び第２側部コイルパターン２３，２４内における多角形の幅をより大きく印刷するときに、複数のシート１ｃの積層工程中にシートの幅方向Ｗ及び長さ方向Ｌの両端部が意図に反して互いに一致せずに誤差又は段差が発生し得るが、真下に配置されるシート上に印刷される多角形の幅をより大きく確保する場合、上記誤差又はコイルパターンの段差を、追加の工程を行わずに相殺することができる。
【０１１２】
また、上記多角形パターンは、製造工程上の条件や設計上の条件に応じて、長方形、五角形、三角形などとしてもよく、円形、楕円形などのその他の様々な形態にも変更可能であることは言うまでもない。
【０１１３】
一方、多数の中央部シート１ｃの間における多数の多角形パターンは、上記多角形パターン内の所定の位置に配置されるビアにより互いに電気的に接続することができる。最上部コイルパターン２１のうち中央部コイルパターンの一端部は、上記ビアを介して最上部シート１ａの真下に配置される中央部シート１ｃ上の第１側部コイルパターン２３と電気的に接続され、上記中央部コイルパターンの他端部は、上記ビアを介して最上部シート１ａの真下に配置される中央部シート１ｃ上の第２側部コイルパターン２４と電気的に接続されるようにすることができる。
【０１１４】
同様に、最下部コイルパターン２２のうち中央部コイルパターンの一端部は、ビアを介して最下部シート１ｂの真上に配置される中央部シート１ｃ上の第１側部コイルパターン２３と電気的に連結され、上記中央部コイルパターンの他端部は、上記ビアを介して最下部シート１ｂの真上に配置される中央部シート上の第２側部コイルパターン２４と電気的に接続されるようにすることができる。
【０１１５】
次に、図１０を参照すると、最上部シート１ａ上の最上部コイルパターン２１は、本体１の長さ方向において互いに対向する両端部のうち一端部と接するように配置される第１引き出し部コイルパターン２１１と、上記第１引き出し部コイルパターン２１１と接続され、本体１の長さ方向に沿って互いに離隔して配置される多数の中央部コイルパターン２１３ａ、２１３ｂ、２１３ｃ、２１３ｄ、２１３ｅと、を含む。また、最下部シート１ｂの最下部コイルパターン２１２は、本体１の長さ方向において互いに対向する両端部のうち一端部と接するように配置される第２引き出し部コイルパターン２１２と、上記第２引き出し部コイルパターン２１２と接続され、本体１の長さ方向に沿って互いに離隔して配置される多数の中央部コイルパターン２２３ａ、２２３ｂ、２２３ｃ、２２３ｄと、を含む。
【０１１６】
図９に示す実施例と対比すると図１０に示す実施例は、第２引き出し部コイルパターン２１２が最上部シート１ａの上面ではなく、最下部シート１ｂの下面に配置される点のみが相違しており、それ以外の構成はすべて同一であるため、これに関する具体的な説明は省略する。
【０１１７】
図１１は、図１の積層電子部品の概略的な上面図を示すが、図１１は明確な説明のために一部を多少拡大表示したものである。
【０１１８】
図１１を参照すると、本体１の外部面のうち特に本体１の幅方向Ｗにおいて対向する第５面及び第６面上でコイル２の表面が露出するように配置される。コイル２の表面が露出するように配置されるというのは、本体１の第５面及び第６面上に配置されるコイル２の外側表面が磁性粉末を含有する本体１により覆われないようにすることを意味し、必ずしも図１１に図示されているように、コイル２が本体１の外部面を基準に突出するように配置されることを意味しない。例えば、コイル２を本体１上に配置する方式によっては、コイル２が本体１の外部面から段差を有して突出する形状を有してもよく、本体１の外部面とコイル２の外表面との間に段差が生じることなく配置され、且つ本体１により覆われないように配置されてもよい。
【０１１９】
本体１の第５面及び第６面上に配置されるコイル２の外側表面を本体１の内部に埋め込むと、コイル２の磁場が本体１の外部に放出されなくなるため、開磁路（ｏｐｅｎ  ｍａｇｎｅｔｉｃ  ｃｉｒｃｕｉｔ）が形成されず、閉磁路（ｃｌｏｓｅｄ  ｍａｇｎｅｔｉｃ  ｃｉｒｃｕｉｔ）が形成されることになり、磁場が外部に放出されなくなるため、磁場の認識距離を増加させることができなくなる。
【０１２０】
上述の構造を有する積層電子部品によれば、シート（ｓｈｅｅｔ）内に含有される磁性粉末の磁場の向きを一方向に集中させて磁束（ｍａｇｎｅｔｉｃ  ｆｌｕｘ）密度を増加させることができ、磁化容易軸方向に磁場の方向を集中させて、透磁率、認識距離を増加させ、且つサイズを小型化することができる。
【０１２１】
＜積層型チップアンテナ＞
本発明の他の実施例によると、上述の上記積層電子部品内の本体１をコア部として含み、コイル２をコイル部として含む積層型チップアンテナ２００が提供される。
【０１２２】
上記積層型チップアンテナ２００は、ＮＦＣ（Ｎｅａｒ  Ｆｉｅｌｄ  Ｃｏｍｍｕｎｉｃａｔｉｏｎ）及びＭＳＴ（Ｍａｇｎｅｔｉｃ  Ｓｅｃｕｒｅ  Ｔｒａｎｓｍｉｓｓｉｏｎ）などに使用することができるが、大きくはコイル部とコア部で構成され、コイル部は電気的信号を電磁気的信号に変換する役割を果たし、コア部は反磁場による認識距離の減少を防止する役割を果たす。
【０１２３】
上記積層型チップアンテナ２００のコア部は、形状磁気異方性を有する磁性粉末を含み、上記磁性粉末の長軸方向が一方向に整列させられた複数のシートを順に積層することによって形成される本体１であってもよい。また、上記積層型チップアンテナ２００のコイル部は、上記コア部の外部面上に配置され、一つの磁気回路（ｍａｇｎｅｔｉｃ  ｃｉｒｃｕｉｔ）を形成することができる。
【０１２４】
上記積層型チップアンテナ２００は、主（ｍａｉｎ）アンテナを設けるべき位置又は副（ｓｕｂ）アンテナを設けるべき位置に配置することができる。
【０１２５】
従来の主ループ（ｌｏｏｐ）アンテナでは、アンテナのサイズが大きいためにバッテリーの表面や携帯電話の後面カバーに配置しなければならなかったが、それとは異なり、本発明の一実施例による積層型チップアンテナ２００が主（ｍａｉｎ）アンテナとして使用される場合には、サイズが小型化されたことにより、電子部品内のいかなる位置にも自由に装着することができるようになった。
【０１２６】
一方、本発明の一実施例による積層型チップアンテナ２００が副（ｓｕｂ）アンテナとして使用される場合、積層型チップアンテナ２００を従来式の主ループアンテナと直列に又は並列に接続することにより認識距離を向上させることに役立つ。
【０１２７】
図１２は上記積層型チップアンテナ２００が従来の副ループアンテナの位置に配置されて主ループアンテナと接続されている状態を示す。
【０１２８】
上記積層型チップアンテナ２００は、磁束を特定の方向に集中させ、認識距離を向上させることができるため、図１２に示すように、主ループアンテナと共に配置される場合、認識対象との距離又は角度の変化に対してより敏感に適応することができる。
【０１２９】
上記の説明以外に上述の本発明の一実施例によるコイル部品の特徴と重複する説明は、ここで省略する。
【０１３０】
以上、本発明の実施形態について詳細に説明したが、本発明の技術的範囲はこれに限定されず、特許請求の範囲に記載された本発明の技術的思想から外れない範囲内で多様な修正及び変形が可能であるということは、当技術分野の通常の知識を有する者には明らかである。
【０１３１】
一方、本発明で用いられた一実施例という表現は、互いに同一の実施例を意味せず、それぞれ互いに異なる固有の特徴を強調して説明するために提供されるものである。しかし、上記提示された一実施例は、他の実施例の特徴と結合して実施される場合を排除しない。例えば、特定の一実施例で説明された事項が他の実施例で説明されていなくても、他の実施例でその事項と反対の説明がされているかその事項と矛盾する説明がされていない限り、他の実施例に関連する説明であると解釈することもできる。
【０１３２】
また、本発明で用いられた用語は、一例を説明するために説明されたものであるだけで、本発明を限定しようとする意図ではない。このとき、単数の表現は文脈上明確に異なる意味でない限り、複数を含む。
【符号の説明】
【０１３３】
１００  積層電子部品
１  本体
１ａ  最上部シート
１ｂ  最下部シート
１ｃ  中央部シート
２  コイル
２１  最上部コイルパターン
２２  最下部コイルパターン
２３、２４  側部コイルパターン
２１１、２１２  第１及び第２引き出し部コイルパターン
２１３ａ、２１３ｂ、２１３ｃ、２１３ｄ、２１３ｅ  最上部コイルパターンの中央部コイルパターン
２２３ａ、２２３ｂ、２２３ｃ、２２３ｄ、２２３ｅ  最下部コイルパターンの中央部コイルパターン
２００  積層型チップアンテナ
【図１】
0006611097.tif 000003
【図２】
0006611097.tif 000004
【図３】
0006611097.tif 000005
【図４ａ】
0006611097.tif 000006
【図４ｂ】
0006611097.tif 000007
【図４ｃ】
0006611097.tif 000008
【図５ａ】
0006611097.tif 000009
【図５ｂ】
0006611097.tif 000010
【図５ｃ】
0006611097.tif 000011
【図６ａ】
0006611097.tif 000012
【図６ｂ】
0006611097.tif 000013
【図６ｃ】
0006611097.tif 000014
【図６ｄ】
0006611097.tif 000015
【図７ａ】
0006611097.tif 000016
【図７ｂ】
0006611097.tif 000017
【図７ｃ】
0006611097.tif 000018
【図７ｄ】
0006611097.tif 000019
【図８ａ】
0006611097.tif 000020
【図８ｂ】
0006611097.tif 000021
【図８ｃ】
0006611097.tif 000022
【図８ｄ】
0006611097.tif 000023
【図９】
0006611097.tif 000024
【図１０】
0006611097.tif 000025
【図１１】
0006611097.tif 000026
【図１２】
0006611097.tif 000027